(57)【要約】【課題】  電子体温計において、体温を測定する際の利便性を損なうことなく、ユーザにとってより見やすい表示を実現することを目的とする。【解決手段】  配列された複数のＬＥＤ２５２Ａ及び２５２Ｂを備える発光部２５２と、電子体温計１００が振られたことを検出する振れ検出部２３０と、各ＬＥＤ２５２Ａ及び２５２Ｂの発光を制御する表示制御部２４４と、を備え、表示制御部２４４は、更に、測定された被検体の体温に関する情報に基づいて発光ドットパターンを生成する手段と、振れ検出部２３０による検出結果に基づいて算出された、ＬＥＤの１ドット列当たりの発光時間を算出する手段と、を備え、発光部２５２が、前記生成された発光ドットパターンと、前記算出された１ドット列当たりの発光時間とに基づいて各ＬＥＤ２５２Ａ及び２５２Ｂの発光を制御することを特徴とする。【選択図】  図２
2011141141.tif 000002
【特許請求の範囲】
【請求項１】
被検体の体温を測定する電子体温計であって、
前記電子体温計の第１の面に配列された、複数の発光素子を備える第１の発光手段と、
前記電子体温計の前記第１の面に対向する第２の面に配列された、複数の発光素子を備える第２の発光手段と、
前記電子体温計が振られたことを検出する振れ検出手段と、
前記第１及び第２の発光手段が備える各発光素子の発光を制御する発光制御手段と、を備え、
前記発光制御手段は、
測定された前記被検体の体温に基づいて、前記第１の発光手段と第２の発光手段とにおいて発光されるべき発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記第１の発光手段の各発光素子の発光と前記第２の発光手段の各発光素子の発光とを制御することを特徴とする電子体温計。
【請求項２】
被検体の体温を測定する電子体温計であって、
前記電子体温計の第１の面に配列された、複数の発光素子を備える第１の発光手段と、
前記電子体温計の前記第１の面に対向する第２の面に配列された、複数の発光素子を備える第２の発光手段と、
前記電子体温計が振られたことを検出するとともに、振れ速度がゼロとなった位置を基準位置として、該基準位置からの距離を算出する振れ検出手段と、
前記第１及び第２の発光手段が備える各発光素子の発光を制御する発光制御手段と、を備え、
前記発光制御手段は、
測定された前記被検体の体温に基づいて、前記第１の発光手段と第２の発光手段とにおいて発光されるべき発光ドットパターンを生成する生成手段と、
前記振れ検出手段による検出結果に基づいて算出された、前記電子体温計の所定方向の振れ幅と、前記発光ドットパターンを表現するのに必要な前記所定方向の発光素子のドット列数とに基づいて、前記発光素子の各ドット列が発光すべき前記基準位置からの距離を算出する算出手段と、を備え、
前記振れ検出手段により算出された距離が、前記算出手段により算出された距離に一致した場合に、前記第１の発光手段の各発光素子及び第２の発光手段の各発光素子が発光するよう制御することを特徴とする電子体温計。
【請求項３】
前記発光制御手段は、
前記複数の発光素子を発光する際の前記電子体温計の振れ方向と、前記発光ドットパターンにおける前記被検体の体温を表す文字列の文字方向とが一致している場合には、該発光ドットパターンの該文字列の先頭側から、該発光ドットパターンに基づいて各発光素子の発光を制御し、
前記複数の発光素子を発光する際の前記電子体温計の振れ方向と、前記発光ドットパターンにおける前記被検体の体温を表す文字列の文字方向とが一致していない場合には、該発光ドットパターンの該文字列の後ろ側から、該発光ドットパターンに基づいて各発光素子の発光を制御することを特徴とする請求項１または２に記載の電子体温計。
【請求項４】
前記発光制御手段は、
前記電子体温計が第１の方向に振られた場合に、前記第１の発光手段の各発光素子の発光を制御し、前記電子体温計が前記第１の方向とは反対方向の第２の方向に振られた場合に、前記第２の発光手段の各発光素子の発光を制御することを特徴とする請求項３に記載の電子体温計。
【請求項５】
前記発光制御手段は、
前記電子体温計が第１の方向に振られた場合に、前記第１の発光手段の各発光素子の発光と前記第２の発光手段の各発光素子の発光とを制御することを特徴とする請求項３に記載の電子体温計。
【請求項６】
被検体の体温を測定する電子体温計であって、前記電子体温計の第１の面に配列された、複数の発光素子を備える第１の発光手段と、前記電子体温計の前記第１の面に対向する第２の面に配列された、複数の発光素子を備える第２の発光手段と、を備える電子体温計の表示制御方法であって、
前記電子体温計が振られたことを検出する振れ検出工程と、
前記第１及び第２の発光手段が備える各発光素子の発光を制御する発光制御工程と、を備え、
前記発光制御工程は、
測定された前記被検体の体温に基づいて、前記第１の発光手段と第２の発光手段とにおいて発光されるべき発光ドットパターンを生成する生成工程と、
前記振れ検出工程における検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出工程と、を備え、
前記振れ検出工程において前記電子体温計が振られたことを検出した場合に、前記生成された発光ドットパターンと、前記算出された１ドット列当たりの発光時間とに基づいて、前記第１の発光手段の各発光素子の発光と前記第２の発光手段の各発光素子の発光とを制御することを特徴とする電子体温計の表示制御方法。
【請求項７】
被検体の体温を測定する電子体温計であって、前記電子体温計の第１の面に配列された、複数の発光素子を備える第１の発光手段と、前記電子体温計の前記第１の面に対向する第２の面に配列された、複数の発光素子を備える第２の発光手段と、を備える電子体温計の表示制御方法であって、
前記電子体温計が振られたことを検出するとともに、振れ速度がゼロとなった位置を基準位置として、該基準位置からの距離を算出する振れ検出工程と、
前記第１及び第２の発光手段が備える各発光素子の発光を制御する発光制御工程と、を備え、
前記発光制御工程は、
測定された前記被検体の体温に基づいて、前記第１の発光手段と第２の発光手段とにおいて発光されるべき発光ドットパターンを生成する生成工程と、
前記振れ検出工程における検出結果に基づいて算出された、前記電子体温計の所定方向の振れ幅と、前記発光ドットパターンを表現するのに必要な前記所定方向の発光素子のドット列数とに基づいて、前記発光素子の各ドット列が発光すべき前記基準位置からの距離を算出する算出工程と、を備え、
前記振れ検出工程において算出された距離が、前記算出工程において算出された距離に一致した場合に、前記第１の発光手段の各発光素子及び第２の発光手段の各発光素子が発光するよう制御することを特徴とする電子体温計の表示制御方法。
【請求項８】
請求項６または７に記載の表示制御方法をコンピュータによって実行させるためのプログラムを格納したコンピュータ読取可能な記憶媒体。
【発明の詳細な説明】
【技術分野】
【０００１】
本発明は、被検体の体温を測定する電子体温計に関するものである。
【背景技術】
【０００２】
従来より、電子体温計にはＬＣＤ等の表示部が設けられており、測定された被検体の体温等の情報をユーザに表示することができるよう構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも見やすい表示とはなっていない。特に、周辺環境が暗い場合にあっては、表示された情報を読み取ることが困難な状況となっている。
【０００５】
一方で、寸法を大きくしたり、ＬＣＤのバックライトを明るくしたりすることで、ユーザにとってより見やすい表示部を実現することは可能であるが、この場合、電子体温計の外形が大きくなったり、消費電力が増大し電池交換が頻繁に必要になるなど、ユーザにとって利便性が損なわれる結果となる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る電子体温計は以下のような構成を備える。即ち、
被検体の体温を測定する電子体温計であって、
前記電子体温計の第１の面に配列された、複数の発光素子を備える第１の発光手段と、
前記電子体温計の前記第１の面に対向する第２の面に配列された、複数の発光素子を備える第２の発光手段と、
前記電子体温計が振られたことを検出する振れ検出手段と、
前記第１及び第２の発光手段が備える各発光素子の発光を制御する発光制御手段と、を備え、
前記発光制御手段は、
測定された前記被検体の体温に基づいて、前記第１の発光手段と第２の発光手段とにおいて発光されるべき発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記第１の発光手段の各発光素子の発光と前記第２の発光手段の各発光素子の発光とを制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計の外観構成の一例を示す図である。
【図２】電子体温計のシステム構成を示す図である。
【図３】電子体温計を長手方向と略直交する方向に、電子体温計の姿勢を維持した状態で往復で振られた場合に、発光部の発光によってユーザに視認される表示内容の一例を示した図である。
【図４】信号処理部における信号処理の内容を説明するための図である。
【図５】表示制御部において生成された発光ドットパターンの一例を示す図である。
【図６】表示制御部による発光部の発光制御処理を説明するための図である。
【図７】電子体温計の体温測定処理の流れを示すフローチャートである。
【図８】電子体温計の可視化処理の流れを示すフローチャートである。
【図９】本発明の第２の実施形態に係る電子体温計の表示制御部において生成された発光ドットパターンの一例を示す図である。
【図１０】表示制御部による発光部の発光制御処理を説明するための図である。
【図１１】電子体温計の可視化処理の流れを示すフローチャートである。
【図１２】本発明の第３の実施形態に係る電子体温計の信号処理部における信号処理の内容を説明するための図である。
【図１３】表示制御部において生成された発光ドットパターンの一例を示す図である。
【図１４】電子体温計の可視化処理の流れを示すフローチャートである。
【発明を実施するための形態】
【００１０】
以下、本発明の各実施形態について図面を参照しながら説明する。
【００１１】
１．電子体温計の外観構成
図１は、本発明の第１の実施形態に係る電子体温計１００の外観構成の一例を示す図であり、図１（Ａ）は、電子体温計１００の表側の面を、図１（Ｂ）は、電子体温計１００の裏側の面をそれぞれ示している。
【００１２】
図１（Ａ）において、１０１は、被検体の体温に関する情報を表示する表示部であり、例えば、ＬＣＤ等により構成されている（本明細書では、表示部１０１が配された面を電子体温計の「表面」と呼び、表示部１０１が配されていない面（表面と対向する面）を電子体温計の「裏面」と呼ぶこととする）。
【００１３】
１０２は発光部であり、ＬＥＤ等の発光素子が電子体温計１００の長手方向に一列に配列されている。なお、図１（Ａ）の例では、発光部１０２としてＬＥＤが７個配列された場合について図示しているが、発光部１０２に含まれるＬＥＤの数は７個に限られない。また、図１（Ａ）の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検体の体温が伝導しやすいように、ステンレスなどの金属により構成されている。
【００１５】
１０４はＯＮ／ＯＦＦスイッチであり、体温の測定を開始する際、又は体温の測定を終了した後に押すことで、電子体温計１００の電源を制御する。
【００１６】
図１（Ｂ）において、１１２は発光部であり、表面の発光部１０２と同様、ＬＥＤ等の発光素子が電子体温計１００の長手方向に一列に配列されている。なお、図１（Ｂ）の例では、発光部１１２としてＬＥＤが７個配列された場合について図示しているが、発光部１１２に含まれるＬＥＤの数は７個に限られない。また、図１（Ｂ）の例では、発光部１１２としてＬＥＤを１列に配列した場合について図示しているが、ＬＥＤの配列数は１列に限られず、複数列であってもよい。
【００１７】
なお、電子体温計１００において、表面・裏面の両方に発光部を設ける構成としたのは、電子体温計の場合、ハウジングの表面側の形状と裏面側の形状とが類似しており、周辺環境が暗い場合に、区別がつきにくいからである。すなわち、周辺環境が暗い場合、ユーザは、体温計の表面を見ているのか、裏面を見ているのかが判断しにくく、一方の面にのみ発光部を設ける構成としてしまうと、発光部の発光により可視化された情報をユーザが視認できないことが生じえるからである。
【００１８】
これに対して、本実施形態のように表面・裏面の両方に発光部を設ける構成とすれば、ユーザがどちらの面を見ている場合であっても、発光部の発光により可視化された情報をユーザが容易に視認することができるようになる。
【００１９】
２．電子体温計のシステム構成
次に、電子体温計のシステム構成について図２を参照しながら説明する。図２は、本発明の第１の実施形態に係る電子体温計１００のシステム構成を示す図である。
【００２０】
図２に示すように、電子体温計１００は、電源部２１０と、温度計測部２２０と、振れ検出部２３０と、演算制御部２４０と、出力部２５０と、ブザー２６０とに大別することができる。
【００２１】
電源部２１０は、従来の使い捨て式又は充電式の電池を内蔵しており、電子体温計１００の各部に電源を供給する。
【００２２】
温度計測部２２０は、サーミスタ、コンデンサ、測温用ＣＲ発振回路等から構成されており、サーミスタにより検出された温度を発振信号として出力する。出力された発振信号はカウンタ２４５においてカウントされることで、デジタル量として出力される。なお、温度計測部２２０の構成は一例であって、これに限定されるものではない。
【００２３】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５及び表示制御部２４４を制御する制御回路２４７等を備える。
【００２４】
ブザー２６０は、体温測定が終了したことを、鳴動により被検体に知らせる。
【００２５】
振れ検出部２３０は、モーション・センサ２３１と信号処理部２３２とを備える。モーション・センサ２３１としては、例えば、加速度センサや傾斜センサ等が用いられるものとする。信号処理部２３２は、モーション・センサ２３１が検出した電子体温計１００の振れを信号として受信し、当該信号に基づいて、発光部２５２の発光開始／発光完了のタイミングや発光素子の１ドット列当たりの発光時間を規定するための信号（振れ方向の変更タイミングを示す信号（詳細は後述））を表示制御部２４４に出力する。
【００２６】
出力部２５０は、従来の表示方法（ＬＣＤ等）で体温に関する情報を表示する表示部２５１と、ユーザの目の残像効果を利用して体温に関する情報を可視化する発光部２５２とを備える。
【００２７】
表示部２５１（図１の表示部１０１に対応する）は、ＬＣＤ等により構成され、表示制御部２４４から受信した電子体温計１００の体温に関する情報（測定結果）を表示する。
【００２８】
発光部２５２（図１の発光部１０２及び１１２に対応する）は、電子体温計１００が往復で振られた（往復運動した）際に、被検体の体温に関する情報をユーザが視認できるように、表示制御部２４４の制御に基づいて発光する。発光部２５２は、表面用の発光素子２５２Ａ（発光部１０２に対応する）と裏面用の発光素子２５２Ｂ（発光部１１２に対応する）とを備える。
【００２９】
表示制御部２４４は、所定のプログラムが格納された記憶媒体と該プログラムを実行するための処理部とを備え（不図示）、表面用の発光素子２５２Ａ及び裏面用の発光素子２５２Ｂの発光パターンを示す発光ドットパターンを生成する。また、信号処理部２３２より受信した振れ方向の変更タイミングを示す信号に基づいて、電子体温計１００の振れ時間を算出するとともに、発光素子の１ドット列当たりの発光時間を算出する。そして、振れ方向の変更タイミングを示す信号を基準として、生成した発光ドットパターンと算出した発光時間とに基づいて、表面用の発光素子２５２Ａ及び裏面用の発光素子２５２Ｂの発光を制御する（詳細は後述）。
【００３０】
このように、本実施形態に係る表示制御部２４４は、表示部２５１の表示を制御する表示制御機能と、発光部２５２の表面用の発光素子２５２Ａ及び裏面用の発光素子２５２Ｂの発光を制御する発光制御機能とを有している。
【００３１】
なお、発光部２５２の表面用の発光素子２５２Ａ及び裏面用の発光素子２５２Ｂが発光している状態で、ユーザが電子体温計１００を往復で振ることで、ユーザは、目の残像効果の影響により、被検体の体温に関する情報を空間上において視認することができる。
【００３２】
なお、電子体温計１００のように発光部１０２を備える構成の場合、必ずしも表示部２５１を設ける必要はなく、表示部２５１は省略されても良い。このように、表示部２５１を省略することで、電子体温計１００では、表示部を配するための幅又は大きさを維持する必要が無くなり、外形寸法を更に小さくすることが可能となる。
【００３３】
３．発光部の発光により視認される表示内容
次に、電子体温計１００の発光部２５２の発光により視認される表示内容について、図面を参照しながら説明する。
【００３４】
図３は電子体温計１００を長手方向と略直交する方向（以下、横方向と称す）に、電子体温計１００の姿勢を維持した状態で、電子体温計１００を往復で振った場合に、発光部２５２の発光によってユーザに視認される表示内容の一例を示した図である。
【００３５】
発光部２５２では、電子体温計１００が横方向に往復で振られているうちの、所定方向の振れ（ここでは、紙面左側から右側への振れ、以下、右振れと称す）の間、被検体の体温に関する情報に基づいて生成された発光ドットパターンと、１ドット列当たりの発光時間とに基づいて、表面用の発光素子２５２Ａ及び裏面用の発光素子２５２Ｂが発光する（図３の例では、このうち、表面用の発光素子２５２Ａが発光した様子を示している）。
【００３６】
これにより、その発光を見たユーザは、目の残像効果の影響により、該被検体の体温に関する情報を視認することができる。なお、図３の例は、電子体温計１００を横方向に往復で振ることで、振れ範囲内の空間上に、“３８．５℃”という表示が浮かび上がって見える様子を示している。
【００３７】
図３に示すように、電子体温計１００の発光部２５２を構成する表面用の発光素子２５２Ａは、電子体温計１００の右振れが完了するまでの間に、それぞれ対応する発光タイミングにおいて発光する。なお、本実施形態では、紙面右側から左側への振れ（表面に向かって右側から左側への振れ、以下、左振れと称す）の間は、表面用の発光素子２５２Ａは発光しないものとする。
【００３８】
一方、図３においては不図示であるが、電子体温計１００の発光部２５２を構成する裏面用の発光素子２５２Ｂは、電子体温計１００の右振れが完了するまでの間は発光しない。そして、右振れが完了し左振れが開始すると、発光を開始し、左振れが完了するまでの間に、それぞれ対応する発光タイミングにおいて発光する。
【００３９】
このように、表面用の発光素子２５２Ａ及び裏面用の発光素子２５２Ｂは、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部２３２及び表示制御部２４４における処理の詳細について説明する。
【００４０】
４．信号処理部における信号処理
まず、発光部２５２における発光開始／発光完了のタイミングを規定するとともに、表面用の発光素子２５２Ａ及び裏面用の発光素子２５２Ｂの１ドット列当たりの発光時間を算出するための信号（振れ方向の変更タイミングを示す信号）を出力する信号処理部２３２における信号処理の内容について説明する。
【００４１】
図４は、信号処理部２３２における信号処理の内容を説明するための図である。図４の（Ａ−１）は、モーション・センサ２３１が傾斜センサであった場合に、ユーザによって電子体温計１００が往復で振られた際のモーション・センサ２３１の出力を示した図である。また、図４の（Ａ−２）は、モーション・センサ２３１が加速度センサであった場合に、ユーザによって電子体温計１００が往復で振られた際のモーション・センサ２３１の出力を示した図である。
【００４２】
信号処理部２３２は、左振れしていた電子体温計１００の振れ方向が右振れに変更されたタイミング（振れ方向の変更タイミング）を示す信号を表示制御部２４４に出力するように構成されるものとする。
【００４３】
一方、傾斜センサは、左振れしていた電子体温計１００の振れ方向が、右振れに変更された場合に、これを検出し、ＯＮ信号として出力するよう構成されている（図４の（Ａ−１）参照）。
【００４４】
このため、モーション・センサ２３１が傾斜センサであった場合、信号処理部２３２では、傾斜センサより出力されたＯＮ信号を検出し、これを振れ方向の変更タイミングを示す信号として表示制御部２４４に出力する（図４の（Ｂ）参照）。
【００４５】
一方、モーション・センサ２３１が加速度センサであった場合には、図４の（Ａ−２）に示すように、電子体温計１００の往復の振れに応じて、正弦波状の信号が出力される。このため、信号処理部２３２では、まず、加速度センサより出力された信号を微分処理し、微分処理の結果がゼロになるタイミング（つまり、加速度センサより出力された信号の傾きがゼロになるタイミング）を検出する。
【００４６】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００４７】
このため、信号処理部２３２では、左振れしていた電子体温計１００の振れ方向が、右振れに変更されたタイミングのみを抽出して、振れ方向の変更タイミングを示す信号として表示制御部２４４に出力する（図４の（Ｂ）参照）。
【００４８】
なお、本発明は、モーション・センサ２３１として上述のような傾斜センサや加速度センサが用いられることに限定されるものではなく、例えば角速度センサ（ジャイロスコープ）のように、電子体温計１００の振れを検出できる他のセンサが用いられてもよい。
【００４９】
５．表示制御部において生成される発光ドットパターン
次に、表示制御部２４４において生成される発光ドットパターンについて説明する。図５は、表示制御部２４４において生成される発光ドットパターンの一例を示す図である。
【００５０】
図５に示すように、発光ドットパターンは、発光部２５２の表面用の発光素子２５２Ａ及び裏面用の発光素子２５２Ｂにより可視化される仮想的な表示領域における表示であり、縦方向に配列された発光素子の数と、所定の方向に振られている間の発光素子の発光回数であるドット列数とにより規定される。
【００５１】
図５において、黒い丸及び白い丸は、電子体温計１００が横方向の振れに伴って移動した場合の、各発光タイミング（ｔ１〜ｔ３３）における発光素子の位置を示している。本実施形態では、１文字（ただし、「小数点」は除く）を表現するのに、横方向５ドットと縦方向７ドット（７つの発光素子）とを用いるものとする。また、横方向の文字と文字の間には、２ドット列数分の発光素子の空白が設けられているものとする。
【００５２】
このため、図５に示すように、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【００５３】
つまり、電子体温計１００の右振れが開始されてから完了するまでの間に、各発光素子は３３ドット列数からなる発光ドットパターンを出力することとなる。このため、１ドット列あたりの発光時間（つまり、各発光素子の１ドット列当たりの発光時間ｔ）は、電子体温計１００の右振れが開始してから完了するまでにかかる振れ時間をＴとした場合、Ｔ／３３となる。つまり、各発光素子は、発光ドットパターンの各ドット列に基づいて、それぞれの発光タイミング（ｔ１〜ｔ３３）で、発光時間ｔだけ発光することとなる。
【００５４】
ここで、電子体温計１００の右振れが開始してから完了するまでにかかる振れ時間Ｔは、モーション・センサ２３１の出力に基づいて信号処理部２３２が検出した検出結果（振れ方向の変更タイミング）に基づいて算出することができる。
【００５５】
具体的には、信号処理部２３２から出力されたＯＮ信号とＯＮ信号との間隔の１／２を算出することにより求めることができる。
【００５６】
なお、モーション・センサ２３１が加速度センサの場合には、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとの間隔を算出することができるため、これらに基づいて求めるよう構成してもよい。
【００５７】
このように、表示制御部２４４では、被検体の体温に関する情報を可視化するために以下のように動作する。
・発光部２５２において可視化すべき可視化情報を受信し、これを表現するための発光ドットパターンを生成する。
・信号処理部２３２からの信号の出力間隔に基づいて算出された振れ時間Ｔと、可視化情報を表現するのに必要な横方向の発光素子のドット列数とに基づいて、１ドット列当たりの発光時間ｔを算出する。
・信号処理部２３２からの信号（振れ方向の変更タイミング）の出力を発光開始タイミングとして、各発光素子を、生成された発光ドットパターンの各ドット列に基づいて、算出された１ドット列当たりの発光時間ｔだけ、それぞれの発光タイミングで発光させる。
【００５８】
６．発光部の発光制御処理
次に、電子体温計１００を１往復させた際の、表示制御部２４４による発光部の発光制御処理について説明する。
【００５９】
図６は、電子体温計１００を１往復させた際の、表示制御部２４４による発光部の発光制御処理を説明するための図である。図６において、（Ａ）は右振れを開始した状態を示している。なお、図６において、紙面左側は電子体温計１００の表面を、紙面右側は同時刻における電子体温計１００の裏面を表している。また、（Ｂ）は、振れ時間Ｔが経過し、右振れが完了するとともに左振れを開始した状態を示している。また、（Ｃ）は、更に振れ時間Ｔが経過し、左振れが完了するとともに右振れを開始した状態を示している。
【００６０】
図６に示すように、表面用の発光素子２５２Ａは、右振れの際に、発光開始タイミングからの経過時間に対応するドット列が発光するよう制御される（（Ｂ）の紙面左側参照）。なお、右振れの際、裏面用の発光素子２５２Ｂは、発光しない（（Ｂ）の紙面右側参照）。
【００６１】
一方、裏面用の発光素子２５２Ｂは、左振れの際に、発光開始タイミングからの経過時間に対応するドット列が発光するよう制御される（（Ｃ）の紙面右側参照）。なお、左振れの際、表面用の発光素子２５２Ａは、発光しない（（Ｃ）の紙面左側参照）。
【００６２】
７．電子体温計の体温測定手順
続いて、図７を用いて電子体温計１００における体温測定処理の流れを説明する。図７は電子体温計１００の体温測定処理の流れを示すフローチャートである。なお、本実施形態に係る電子体温計１００は、例えば、特開２００７−２４５３０号公報などに開示された予測式の体温測定方法を用いて体温測定を行うよう構成されているものとする。
【００６３】
ＯＮ／ＯＦＦスイッチ１０４が押下されると、電子体温計１００の電源がＯＮとなり、ステップＳ７０１に進む。
【００６４】
ステップＳ７０１では、電子体温計１００の初期化が行われ、温度計測部２２０による温度値の検出が開始される。例えば、０．５秒おきに温度計測部２２０を用いて温度値が検出される。
【００６５】
ステップＳ７０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングで実測値のデータ（時系列データ）として記憶を開始する。つまり、急激な温度上昇を検出することにより、被検体の所定の測定部位に電子体温計１００が装着されたとみなす。
【００６６】
ステップＳ７０３からステップＳ７０７までは、周知の予測式の体温測定方法を用いて体温を予測する処理であり、その詳細に関しては、例えば、特開２００７−２４５３０号公報などに記載されているため、ここでは簡潔に説明することとする。
【００６７】
ステップＳ７０３では、測定中に計測温度の低下が観測されたか否かを判断する。所定の温度低下が見られる場合は、ステップＳ７１２に進み、所定の温度低下が見られない場合にはステップＳ７０４に進む。
【００６８】
ステップＳ７１２では、計測されたデータの補正処理を行う。補正処理が正常に行われた場合にはステップＳ７０２に戻る。一方、補正処理が正常に終了しない場合には、ステップＳ７１３に進む。ステップＳ７１３では、体温測定が正常に終了しなかったとして、エラーを告げるブザー２６０を鳴動した後、体温測定処理を終了する。
【００６９】
一方、ステップＳ７０４では、ステップＳ７０２で記憶されたデータを用いて、前述した予測式の体温測定方法を用いて逐次予測値を導出（例えば、０．５秒間隔で導出）する。
【００７０】
ステップＳ７０５では、基準点（ｔ＝０）から所定時間（例えば１６秒）だけ経過した後、例えばステップＳ７０４で導出した複数の群に対応するそれぞれの予測値の変化に基づいて群分け判定を行う。
【００７１】
ステップＳ７０６では、ステップＳ７０５によって決定された群以外の演算を停止し、判定された群における予測演算を引き続き所定の時間導出する。
【００７２】
ステップＳ７０７では、基準点（ｔ＝０）から所定時間（例えば３０秒）だけ経過した時点で、ステップＳ７０６における処理の結果導出された一定区間（例えばｔ＝２５〜３０秒）における予測値が、あらかじめ設定された予測成立条件を満たすかどうかをチェックする。具体的には、所定の範囲（例えば０．１度）に収まっているか否かをチェックする。
【００７３】
ステップＳ７０７において予測成立条件を満たしたと判定された場合には、ステップＳ７０８に進む。一方、予測成立条件を満たさない場合は、ステップＳ７１４に進む。
【００７４】
ステップＳ７１４では、例えばタイマーなどで計測開始から所定時間（例えば４５秒）が経過したか否かを監視し、経過した時は、強制的に予測を成立させ、ステップＳ７０８に進む。つまり、その時点で導出されている予測値をそのまま最終予測値と見なす。
【００７５】
ステップＳ７０８では、体温測定が正常に終了したものとして予測成立を告げるブザー２６０を鳴らし、ステップＳ７０９に進む。ステップＳ７０９では、導出された体温の予測値を測定結果として出力部２５０の表示部２５１に表示する。
【００７６】
ステップＳ７１０では、当該測定結果（被検体の体温に関する情報）を可視化する可視化処理を行う。なお、可視化処理の詳細は後述する。
【００７７】
ステップＳ７１１では、体温測定終了の指示を受け付けたか否かを判定する。体温測定終了の指示は、例えば、ＯＮ／ＯＦＦスイッチ１０４が押下されたか否かに基づいて判定してもよいし、ステップＳ７０９における表示から一定時間経過した場合に体温測定終了の指示があったとみなすようにしてもよい。以上のステップを経て、体温測定処理を終了し、電源をＯＦＦにする。
【００７８】
８．可視化処理の流れ
次に、測定結果を発光部２５２において可視化するため可視化処理の流れについて説明する。図８は、表示制御部２４４における可視化処理の流れを示すフローチャートである。
【００７９】
ステップＳ８０１では、電子体温計１００が横方向に往復で振られているか否かを判定する。ステップＳ８０１において、横方向に往復で振られていると判定された場合には、ステップＳ８０２に進む。
【００８０】
ステップＳ８０２では、可視化情報として測定結果を取得し、ステップＳ８０３では、信号処理部２３２からの信号の出力間隔に基づいて、電子体温計１００の振れ時間Ｔを算出する。
【００８１】
ステップＳ８０４では、可視化情報に基づいて、表面用の発光素子２５２Ａ及び裏面用の発光素子２５２Ｂにおいて可視化すべき発光ドットパターンを生成する。
【００８２】
ステップＳ８０５では、ステップＳ８０３において算出された振れ時間Ｔと、ステップＳ８０４において生成された発光ドットパターンを表現するのに必要な発光素子のドット列数とに基づいて、１ドット列当たりの発光時間ｔを算出する。
【００８３】
ステップＳ８０６では、生成された発光ドットパターン及び算出された発光時間ｔに基づいて、右振れ時に、表面用の発光素子２５２Ａの発光を制御する。また、ステップＳ８０７では、生成された発光ドットパターン及び算出された発光時間ｔに基づいて、左振れ時に、裏面用の発光素子２５２Ｂの発光を制御する。
【００８４】
ステップＳ８０８では、信号処理部２３２からの信号の出力が継続しているか否かを判定し、継続していると判定された場合には、ステップＳ８０２に戻る。一方、信号処理部２３２からの信号の出力がないと判定された場合には、可視化処理を終了する。
【００８５】
以上の説明から明らかなように、本実施形態に係る電子体温計１００では、表面用の発光素子２５２Ａ及び裏面用の発光素子２５２Ｂと、電子体温計１００の振れを検出するモーション・センサ２３１と、表面用の発光素子２５２Ａ及び裏面用の発光素子２５２Ｂの発光を制御する表示制御部２４４とを備える構成とした。
【００８６】
そして、電子体温計が横方向に往復で振られている際に、表面用の発光素子及び裏面用の発光素子の発光を適切に制御することで、ユーザが表裏面のいずれを見ている場合であっても、測定された被検体の体温に関する情報を、ユーザが空間上において視認できるよう構成した。
【００８７】
この結果、電子体温計において、体温を測定する際の利便性を損なうことなく、ユーザにとってより見やすい表示を実現することが可能となった。特に、電子体温計１００によれば、周辺環境が暗く、表裏面のいずれを見ているか認識できない場合であっても、ユーザは、表裏面を気にすることなく視認することができるようになる。
【００８８】
［第２の実施形態］
上記第１の実施形態では、振れ時間Ｔに基づいて電子体温計の表面用の発光素子及び裏面用の発光素子を発光させる構成としたが、本発明はこれに限定されない。例えば、右振れ時の振れ時間と左振れ時の振れ時間とをそれぞれ検出しておき、それぞれの振れ時間に基づいて、表面用の発光素子及び裏面用の発光素子の発光をそれぞれ制御するように構成してもよい。
【００８９】
具体的には、左振れ時の振れ時間に基づいて、次の右振れ時の表面用の発光素子の発光を制御し、右振れ時の振れ時間に基づいて、次の左振れ時の裏面用の発光素子の発光を制御するように構成してもよい。
【００９０】
あるいは、左振れ時の振れ時間に基づいて、次の右振れ時の裏面用の発光素子の発光を制御し、右振れ時の振れ時間に基づいて、次の左振れ時の表面用の発光素子の発光を制御するように構成してもよい。
【００９１】
あるいは、前回の右振れ時の振れ時間に基づいて、次回の右振れ時の表面用の発光素子を発光させ、前回の左振れ時の振れ時間に基づいて、次回の左振れ時の電子体温計の裏面用の発光素子を発光させるように構成してもよい。
【００９２】
［第３の実施形態］
上記第１の実施形態では、振れ時間Ｔに基づいて、右振れ時に表面用の発光素子を発光させ、左振れ時に裏面用の発光素子を発光させる構成としたが、本発明はこれに限定されない。たとえば、振れ時間Ｔに基づいて、右振れ時に表面用の発光素子と裏面用の発光素子とを同時に発光させるように構成してもよい。以下、本実施形態の詳細について説明する。
【００９３】
なお、電子体温計の外観構成、電子体温計のシステム構成、発光部の発光により視認される表示内容、及び信号処理部における信号処理、電子体温計の体温測定手順等については、上記第１の実施形態と同様であるため説明を省略し、ここでは、主に第１の実施形態との相違点を中心に説明する。
【００９４】
１．表示制御部において生成される発光ドットパターン
はじめに表示制御部２４４において生成される発光ドットパターンについて説明する。図９は、表示制御部２４４において生成される発光ドットパターンの一例を示す図であり、図９（Ａ）は表面用の発光ドットパターンを、図９（Ｂ）は裏面用の発光ドットパターンをそれぞれ示している。
【００９５】
図９（Ａ）に示すように、表面用の発光ドットパターンは、上記第１の実施形態において図５を用いて説明した発光ドットパターンと同じである。一方、図９（Ｂ）に示すように、裏面用の発光ドットパターンは、ドット列数、１ドット列当たりの発光時間等は、表面用の発光ドットパターンと同じであるが、発光順序が異なる。
【００９６】
すなわち、裏面用の発光ドットパターンは、図９（Ｂ）の紙面右端のドット列が最初に発光し、紙面左端のドット列が最後に発光する。これは、右振れ時に裏面用の発光素子を発光させる場合、電子体温計の振れ方向と可視化情報を構成する文字列の文字方向とが反対になるため、文字列の後ろ側から表示させていく必要があるからである。
【００９７】
このように、電子体温計１００では、電子体温計１００の振れ方向と、可視化情報を構成する文字列の文字方向とが一致する場合には、文字列の先頭側から、発光ドットパターンに基づく発光素子の発光を行うよう制御し、電子体温計１００の振れ方向と、可視化情報を構成する文字列の文字方向とが反対方向である場合には、文字列の後ろ側から、発光ドットパターンに基づく発光素子の発光を行うよう制御する。
【００９８】
２．発光部の発光制御処理
次に、電子体温計１００を１往復させた際の、表示制御部２４４による発光部の発光制御処理の内容について説明する。
【００９９】
図１０は、電子体温計１００を１往復させた際の、表示制御部２４４による発光部２５２の発光制御処理を説明するための図である。図１０において、（Ａ）は右振れを開始した状態を示している。なお、図１０において、紙面左側は電子体温計１００の表面を、紙面右側は同時刻における電子体温計１００の裏面を表している。また、（Ｂ）は、振れ時間Ｔが経過し、右振れが完了するとともに左振れを開始した状態を示している。また、（Ｃ）は、更に振れ時間Ｔが経過し、左振れが完了するとともに右振れを開始した状態を示している。
【０１００】
図１０に示すように、表面用の発光素子２５２Ａ及び裏面用の発光素子２５２Ｂは、右振れの際に、発光開始タイミングからの経過時間に対応するドット列が発光するよう制御される（（Ｂ）参照）。
【０１０１】
一方、左振れの際には、表面用の発光素子２５２Ａ及び裏面用の発光素子２５２Ｂは、いずれも発光しない（（Ｃ）参照）。
【０１０２】
３．可視化処理の流れ
次に、測定結果を発光部２５２において可視化するための可視化処理の流れについて説明する。図１１は、表示制御部２４４における可視化処理の流れを示すフローチャートである。
【０１０３】
ステップＳ１１０１では、電子体温計１００が横方向に往復で振られているか否かを判定する。ステップＳ１１０１において、横方向に往復で振られていると判定された場合には、ステップＳ１１０２に進む。
【０１０４】
ステップＳ１１０２では、可視化情報として測定結果を取得し、ステップＳ１１０３では、信号処理部２３２からの信号の出力間隔に基づいて、電子体温計１００の振れ時間Ｔを算出する。
【０１０５】
ステップＳ１１０４では、可視化情報に基づいて、表面用の発光素子２５２Ａ及び裏面用の発光素子２５２Ｂにおいてそれぞれ可視化すべき発光ドットパターンを生成する。
【０１０６】
ステップＳ１１０５では、ステップＳ１１０３において算出された振れ時間Ｔと、ステップＳ１１０４において生成された発光ドットパターンを表現するのに必要な発光素子のドット列数とに基づいて、１ドット列当たりの発光時間ｔを算出する。
【０１０７】
ステップＳ１１０６では、生成された発光ドットパターン及び算出された発光時間ｔに基づいて、右振れ時に、表面用の発光素子２５２Ａ及び裏面用の発光素子２５２Ｂの発光を制御する。
【０１０８】
ステップＳ１１０７では、信号処理部２３２からの信号の出力が継続しているか否かを判定し、継続していると判定された場合には、ステップＳ１１０２に戻る。一方、信号処理部２３２からの信号の出力がないと判定された場合には、可視化処理を終了する。
【０１０９】
以上の説明から明らかなように、本実施形態に係る電子体温計１００では、表面用の発光素子２５２Ａ及び裏面用の発光素子２５２Ｂと、電子体温計１００の振れを検出するモーション・センサ２３１と、表面用の発光素子２５２Ａ及び裏面用の発光素子２５２Ｂの発光を制御する表示制御部２４４とを備える構成とした。
【０１１０】
そして、電子体温計が横方向に往復で振られている際に、表面用の発光素子及び裏面用の発光素子の発光を適切に制御することで、ユーザが表裏面のいずれを見ている場合であっても、測定された被検体の体温に関する情報を、ユーザが空間上において視認できるよう構成した。
【０１１１】
この結果、電子体温計において、体温を測定する際の利便性を損なうことなく、ユーザにとってより見やすい表示を実現することが可能となった。特に、電子体温計１００によれば、周辺環境が暗く、表裏面のいずれを見ているか認識できない場合であっても、ユーザは、表裏面を気にすることなく視認することができるようになる。
【０１１２】
［第４の実施形態］
上記第３の実施形態では、振れ時間Ｔに基づいて、右振れ時に表面用の発光素子と裏面用の発光素子を同時に発光させる構成としたが、本発明はこれに限定されない。例えば、右振れ時の振れ時間と左振れ時の振れ時間とをそれぞれ検出しておき、いずれかの振れ時間に基づいて、表面用の発光素子と裏面用の発光素子とを同時に発光させるように構成してもよい。
【０１１３】
具体的には、左振れ時の振れ時間に基づいて、次の右振れ時に、表面用の発光素子と裏面用の発光素子とを同時に発光させるように構成してもよい。あるいは、右振れ時の振れ時間に基づいて、次の左振れ時に、表面用の発光素子と裏面用の発光素子とを同時に発光させるように構成してもよい。あるいは、前回の右振れ時の振れ時間に基づいて、次回の右振れ時に、表面用の発光素子と裏面用の発光素子とを同時に発光させるように構成してもよい。あるいは、前回の左振れ時の振れ時間に基づいて、次回の左振れ時に、表面用の発光素子と裏面用の発光素子とを同時に発光させるように構成してもよい。
【０１１４】
［第５の実施形態］
上記第１乃至第４の実施形態では、モーション・センサ２３１の出力に基づいて、信号処理部２３２が振れ方向の変更タイミングを示す信号を出力する構成について説明したが、本発明はこれに限定されない。
【０１１５】
例えばモーション・センサ２３１として加速度センサを用いた場合にあっては、信号処理部２３２において、電子体温計の振れ方向の変更位置及び該振れ方向の変更位置からの距離を示す信号を出力するように構成してもよい。
【０１１６】
更に、信号処理部２３２から、電子体温計の振れ方向の変更位置及び該振れ方向の変更位置からの距離を示す信号が出力されることに対応して、表示制御部２４４では、該振れ方向の変更位置からの距離に応じて発光部が発光を行うよう制御するように構成してもよい。以下、本実施形態の詳細について説明する。なお、説明は、上記第１の実施形態と異なる点を中心に行うものとする。
【０１１７】
１．信号処理部における信号処理
はじめに、発光部２５２Ａ及び２５２Ｂにおける発光開始／発光完了の位置を規定するための信号（振れ方向の変更位置を示す信号）ならびに該振れ方向の変更位置からの距離を示す信号を出力する信号処理部２３２における信号処理の内容について説明する。
【０１１８】
図１２は、信号処理部２３２における信号処理の内容を説明するための図である。図１２の（Ａ）は、モーション・センサ２３１が加速度センサである場合に、ユーザによって電子体温計１００が往復で振られた際のモーション・センサ２３１の出力を示した図である。
【０１１９】
上述したように、本実施形態の電子体温計１００は、振れ方向の変更位置を基準として、表面用の発光素子２５２Ａ及び裏面用の発光素子２５２Ｂの発光を制御する。このため、信号処理部２３２では、振れ方向の変更位置及び該振れ方向の変更位置からの距離を示す信号を算出する。
【０１２０】
図１２の（Ａ）に示すように、電子体温計１００の往復の振れに応じて、加速度センサからは正弦波状の信号が出力される。このため、信号処理部２３２では、加速度センサより出力された信号の傾きがゼロになるタイミング（つまり、振れ速度がゼロになるタイミング）を検出する。
【０１２１】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。信号処理部２３２では、これら２種類のタイミングを抽出し、その信号（振れ方向の変更位置を示す信号）を表示制御部２４４に出力する。
【０１２２】
さらに、左振れしていた電子体温計１００の振れ方向が、右振れに変更されたタイミングにおける電子体温計１００の位置（振れ方向の変更位置１２０１）を基準位置として、加速度センサより出力された信号を２回積分することにより、もう一方の振れ方向の変更位置１２０２（右振れしていた電子体温計１００の振れ方向が、左振れに変更されたタイミングにおける電子体温計１００の位置）までの、該基準位置からの距離を算出する（図１２の（Ｂ）参照）。更に、右振れしていた電子体温計１００の振れ方向が、右振れに変更されたタイミングにおける電子体温計１００の位置（振れ方向の変更位置１２０２）を基準位置として、加速度センサより出力された信号を２回積分することにより、他方の振れ方向の変更位置１２０１までの、該基準位置からの距離を算出する（図１２の（Ｂ）参照）。算出された基準位置からの距離を示す信号は、表示制御部２４４に出力される。
【０１２３】
なお、本発明は、振れ方向の変更位置からの距離を示す信号を検出するためのモーション・センサ２３１として、上述のような加速度センサを用いることに限定されるものではなく、振れ方向の変更位置からの距離を示す信号を検出することが可能であれば、他のセンサを用いてもよい。
【０１２４】
２．表示制御部において生成される発光ドットパターン
次に、表示制御部２４４において生成される発光ドットパターンについて説明する。図１３は、表示制御部２４４において生成される発光ドットパターンの一例を示す図であり、図１３（Ａ）は、右振れ時に表面用の発光素子２５２Ａにより可視化される発光ドットパターンまたは左振れ時に裏面用の発光素子２５２Ｂにより可視化される発光ドットパターンを示している。また、図１３（Ｂ）は、左振れ時に表面用の発光素子２５２Ａにより可視化される発光ドットパターンまたは右振れ時に裏面用の発光素子２５２Ｂにより可視化される発光ドットパターンを示している。
【０１２５】
図１３（Ａ）に示すように、発光ドットパターンは、発光素子により可視化される仮想的な表示領域における表示であり、縦方向に配列された発光素子の数と、所定の方向に振られている間の発光素子の発光回数であるドット列数と、各ドット列の振れ方向の変更位置１２０１または１２０２からの距離とにより規定される。
【０１２６】
図１３（Ａ）において、黒い丸及び白い丸は、電子体温計１００が横方向の振れに伴って移動した場合の、各発光タイミングにおける発光素子のＯＦＦ／ＯＮを示している。本実施形態では、１文字（ただし、「小数点」は除く）を表現するのに、横方向５ドット（５つの発光素子）と縦方向７ドット（７つの発光素子）とを用いるものとする。また、横方向の文字と文字の間には、２ドット列数分の発光素子の空白が設けられるものとする。
【０１２７】
このため、図１３（Ａ）に示すように、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【０１２８】
つまり、電子体温計１００の右振れが開始してから完了するまでの間に、各発光素子は、３３ドット列数からなる発光ドットパターンを出力することとなる。このとき各ドット列の発光位置は、各ドット列の振れ方向の変更位置（１２０１または１２０２）からの距離により規定される。
【０１２９】
具体的には、可視化情報が、“３８．５℃”の場合、
ｘ１＝（Ｌ／３３）×０
ｘ２＝（Ｌ／３３）×１
ｘ３＝（Ｌ／３３）×２
・・・
ｘ３３＝（Ｌ／３３）×３２
となる。
【０１３０】
一方、図１３（Ｂ）に示すように、右振れ時の裏面用の発光ドットパターンまたは左振れ時の表面用の発光ドットパターンは、縦方向に配列された発光素子の数やドット列数等は、図１３（Ａ）と同じであるが、各ドット列の振れ方向の変更位置からの距離が異なる。
【０１３１】
すなわち、図１３（Ｂ）の場合、紙面右端のドット列が振れ方向の変更位置から最も近い位置で発光し、紙面左端のドット列が振れ方向の変更位置から最も遠い位置で発光する。これは、右振れ時に裏面用の発光素子を発光させる場合、あるいは左振れ時に表面用の発光素子を発光させる場合、電子体温計の振れ方向と可視化情報を構成する文字列の文字方向とが反対になるため、文字列の後ろ側から表示させていく必要があるからである。
【０１３２】
このように、電子体温計１００では、電子体温計１００の振れ方向と、可視化情報を構成する文字列の文字方向とが一致する場合には、文字列の先頭側から、発光ドットパターンに基づく発光素子の発光を行うよう制御し、電子体温計１００の振れ方向と、可視化情報を構成する文字列の文字方向とが反対方向である場合には、文字列の後ろ側から、発光ドットパターンに基づく発光素子の発光を行うよう制御する。
【０１３３】
具体的には、表示制御部２４４では、電子体温計１００の体温に関する情報を可視化するために以下のように動作する。
・発光部２５２において可視化すべき可視化情報を受信し、これを表現するための発光ドットパターンを生成する。
・発光ドットパターンにおいて各ドット列の振れ方向の変更位置からの距離を規定する。
・信号処理部２３２から出力された振れ方向の変更位置を示す信号の出力を発光開始位置として制御を開始し、信号処理部２３２から出力された振れ方向の変更位置からの距離を示す信号が、規定された各ドット列の振れ方向の変更位置からの距離と一致した場合に、各発光素子を、対応するドット列に従って発光させる。
【０１３４】
なお、所定のドット列に基づく発光は、電子体温計１００が次のドット列に基づく発光が行われる位置に到達するまでの間、継続される。
【０１３５】
３．可視化処理の流れ
次に、測定結果を発光部２５２において可視化するための表示制御部２４４における可視化処理の流れについて説明する。図１４は、表示制御部２４４における可視化処理の流れを示すフローチャートである。
【０１３６】
このうち、図１４（Ａ）は、振れ幅Ｌに基づいて、右振れ時に表面用の発光素子２５２Ａを発光し、左振れ時に裏面用の発光素子２５２Ｂを発光する場合の可視化処理の流れを示している。また、図１４（Ｂ）は、振れ幅Ｌに基づいて、右振れ時に表面用の発光素子２５２Ａ及び裏面用の発光素子２５２Ｂの両方を発光する場合の可視化処理の流れを示している。
【０１３７】
はじめに、図１４（Ａ）について説明する。ステップＳ１４０１では、電子体温計１００が横方向に往復で振られているか否かを判定する。ステップＳ１４０１において、横方向に往復で振られていると判定された場合には、ステップＳ１４０２に進む。
【０１３８】
ステップＳ１４０２では、可視化情報として測定結果を取得し、ステップＳ１４０３では、信号処理部２３２からの信号の出力に基づいて、電子体温計１００の振れ幅Ｌを算出する。
【０１３９】
ステップＳ１４０４では、可視化情報に基づいて、表面用の発光素子２５２Ａ及び裏面用の発光素子２５２Ｂにおいて可視化すべき発光ドットパターンを生成する。
【０１４０】
ステップＳ１４０５では、ステップＳ１４０３において算出された振れ幅Ｌと、ステップＳ１４０４において生成された発光ドットパターンを表現するのに必要な発光素子のドット列数とに基づいて、各ドット列の発光位置ｘを算出する。
【０１４１】
ステップＳ１４０６では、生成された発光ドットパターン及び算出された各ドット列の発光位置ｘに基づいて、右振れ時に、表面用の発光素子２５２Ａの発光を制御する。また、ステップＳ１４０７では、生成された発光ドットパターン及び算出された各ドット列の発光位置ｘに基づいて、左振れ時に、裏面用の発光素子２５２Ｂの発光を制御する。
【０１４２】
ステップＳ１４０８では、信号処理部２３２からの信号の出力が継続しているか否かを判定し、継続していると判定された場合には、ステップＳ１４０２に戻る。一方、信号処理部２３２からの信号の出力がないと判定された場合には、可視化処理を終了する。
【０１４３】
次に、図１４（Ｂ）について説明する。ステップＳ１４２１では、電子体温計１００が横方向に往復で振られているか否かを判定する。ステップＳ１４２１において、横方向に往復で振られていると判定された場合には、ステップＳ１４２２に進む。
【０１４４】
ステップＳ１４２２では、可視化情報として測定結果を取得し、ステップＳ１４２３では、信号処理部２３２からの信号の出力に基づいて、電子体温計１００の振れ幅Ｌを算出する。
【０１４５】
ステップＳ１４２４では、可視化情報に基づいて、表面用の発光素子２５２Ａ及び裏面用の発光素子２５２Ｂにおいてそれぞれ可視化すべき発光ドットパターンを生成する。
【０１４６】
ステップＳ１４２５では、ステップＳ１４２３において算出された振れ幅Ｌと、ステップＳ１４２４において生成された発光ドットパターンを表現するのに必要な右振れ方向の発光素子のドット列数とに基づいて、表面用の発光素子及び裏面用の発光素子の各ドット列の発光位置ｘを算出する。
【０１４７】
ステップＳ１４２６では、生成された発光ドットパターン及び算出された各ドット列の発光位置ｘに基づいて、右振れ時に、表面用の発光素子及び裏面用の発光素子の発光を制御する。
【０１４８】
ステップＳ１４２７では、信号処理部２３２からの信号の出力が継続しているか否かを判定し、継続していると判定された場合には、ステップＳ１４２２に戻る。一方、信号処理部２３２からの信号の出力がないと判定された場合には、可視化処理を終了する。
【０１４９】
以上の説明から明らかなように、本実施形態に係る電子体温計では、表面用の発光素子２５２Ａ及び裏面用の発光素子２５２Ｂと、電子体温計１００の振れを検出するモーション・センサ２３１と、表面用の発光素子２５２Ａ及び裏面用の発光素子２５２Ｂの発光を制御する表示制御部２４４とを備える構成とした。
【０１５０】
そして、電子体温計が横方向に往復で振られている際に、表面用の発光素子２５２Ａ及び裏面用の発光素子２５２Ｂの発光を適切に制御することで、ユーザが表裏面のいずれを見ている場合であっても、測定された被検体の体温に関する情報を、ユーザが空間上において視認できるよう構成した。
【０１５１】
この結果、電子体温計において、体温を測定する際の利便性を損なうことなく、ユーザにとってより見やすい表示を実現することが可能となった。特に、当該電子体温計１００によれば、周辺環境が暗く、表裏面のいずれを見ているか認識できない場合であっても、ユーザは、表裏面を気にすることなく視認することができるようになる。
【０１５２】
［第６の実施形態］
上記第５の実施形態では、振れ幅Ｌに基づいて電子体温計の表面用の発光素子及び裏面用の発光素子を発光させる構成としたが、本発明はこれに限定されない。例えば、右振れ時の振れ幅と左振れ時の振れ幅とをそれぞれ検出し、それぞれの振れ幅に基づいて、表面用の発光素子及び裏面用の発光素子の発光を制御するように構成してもよい。
【０１５３】
具体的には、左振れ時の振れ幅に基づいて、次の右振れ時の表面用の発光素子の発光を制御し、右振れ時の振れ幅に基づいて、次の左振れ時の裏面用の発光素子の発光を制御するように構成してもよい。
【０１５４】
あるいは、左振れ時の振れ幅に基づいて、次の右振れ時の裏面用の発光素子の発光を制御し、右振れ時の振れ幅に基づいて、次の左振れ時の表面用の発光素子の発光を制御するように構成してもよい。
【０１５５】
あるいは、前回の右振れ時の振れ幅に基づいて、次回の右振れ時の表面用の発光素子を発光させ、前回の左振れ時の振れ幅に基づいて、次回の左振れ時の電子体温計の裏面用の発光素子を発光させるように構成してもよい。
【０１５６】
［第７の実施形態］
上記第５の実施形態では、振れ幅Ｌに基づいて、右振れ時に表面用の発光素子を発光させ、左振れ時に裏面用の発光素子を発光させる構成としたが、本発明はこれに限定されない。たとえば、振れ幅Ｌに基づいて、右振れ時に表面用の発光素子と裏面用の発光素子とを同時に発光させるように構成してもよい。
【０１５７】
さらに、右振れ時の振れ幅と左振れ時の振れ幅とをそれぞれ検出しておき、いずれかの振れ幅に基づいて、表面用の発光素子と裏面用の発光素子とを同時に発光させるように構成してもよい。
【０１５８】
具体的には、左振れ時の振れ幅に基づいて、次の右振れ時に、表面用の発光素子と裏面用の発光素子とを同時に発光させるように構成してもよい。あるいは、右振れ時の振れ幅に基づいて、次の左振れ時に、表面用の発光素子と裏面用の発光素子とを同時に発光させるように構成してもよい。あるいは、前回の右振れ時の振れ幅に基づいて、次回の右振れ時に、表面用の発光素子と裏面用の発光素子とを同時に発光させるように構成してもよい。あるいは、前回の左振れ時の振れ幅に基づいて、次回の左振れ時に、表面用の発光素子と裏面用の発光素子とを同時に発光させるように構成してもよい。
【０１５９】
［第８の実施形態］
上記第１乃至第７の実施形態では、発光素子としてＬＥＤを用いる場合について説明したが、本発明はこれに限定されず、例えば、有機ＥＬ等、他の発光素子を用いるようにしてもよい。
【０１６０】
また、上記第１乃至第７の実施形態では、発光部により可視化された被検体の体温に関する情報として、予測された体温を用いる場合について説明したが、本発明はこれに限定されず、実測された体温を用いるようにしてもよい。
【０１６１】
また、上記第１乃至７の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【０１６２】
更に、上記第１乃至第７の実施形態では、体温測定処理において測定結果が算出された場合に、常に、可視化処理を実行する構成としたが、本発明はこれに限定されず、例えば、所定のスイッチを配し、ユーザの指示に基づいて、可視化処理を実行する場合と実行しない場合とで切り替えられるように構成してもよい。
【０１６３】
また、可視化処理を実行する場合にあっては、表面用の発光素子についてのみ可視化処理を実行する場合と、裏面用の発光素子についてのみ可視化処理を実行する場合と、両方について可視化処理を実行する場合とで、切り替えられるように構成してもよい。
【符号の説明】
【０１６４】
１００・・・電子体温計、１０１・・・表示部、１０２・・・発光部、１０３・・・エンドキャップ、１０４・・・ＯＮ／ＯＦＦスイッチ、１１２・・・発光部、２５２Ａ・・・発光素子
【図１】
2011141141.tif 000003
【図２】
2011141141.tif 000004
【図４】
2011141141.tif 000005
【図５】
2011141141.tif 000006
【図６】
2011141141.tif 000007
【図７】
2011141141.tif 000008
【図８】
2011141141.tif 000009
【図９】
2011141141.tif 000010
【図１０】
2011141141.tif 000011
【図１１】
2011141141.tif 000012
【図１２】
2011141141.tif 000013
【図１３】
2011141141.tif 000014
【図１４】
2011141141.tif 000015
【図３】
2011141141.tif 000016